(57)【要約】      （修正有）【課題】光ディスク駆動装置への静電気に対して確実に接地できる構造を提供する。【解決手段】導電板２１には左右２箇所のフック部構造と側端部に押えばね構造を備え、ディスクトレイ４に設けたフック孔２３ａ、２３ｂで固定し、押えばね部はディスクトレイ４が筺体内部に搬入された状態で筺体部に押圧接地する構造とした。これにより、設置寸法精度や作業性が向上し、さらにアース部品への確実な接地が可能となることで光ディスク駆動装置の信頼性能の向上が図れる。【選択図】図３
2012089189.tif 000002
【特許請求の範囲】
【請求項１】
トップケースとボトムケースにより形成された開口部を有する筺体と、この筺体内部に収納され前記開口部から入出自在に設けられたディスクトレイと、このディスクトレイ上のディスクに記録再生を行う光ピックアップと、前記ディスクを回転駆動するスピンドルモータと、前記ディスクトレイの前端部に導電板とを備えた光ディスク駆動装置において、
前記導電板には、左右２箇所でその先端部に２段階の折り曲げ成形を施し互いが内側を向くようにしたフック部と、側端部に１段曲げ成形を施した押えばね部とを備えてなり、
前記フック部で前記ディスクトレイ前面部に備えたフック孔部に固定し、前記押えばね部は前記ディスクトレイが前記筺体内部に搬入された状態で筺体部に押圧接地することを特徴とする光ディスク駆動装置。
【請求項２】
請求項１記載のディスク駆動装置において、
前記押えばね部は前記ディスクトレイ方向に折り曲げられていることを特徴とする光ディスク駆動装置。
【請求項３】
請求項１記載のディスク駆動装置において、
前記導電板に備えたフック部の幅寸法に対して、前記ディスクトレイに備えた前記フック孔の縦内寸法が０．０５ｍｍから０．２ｍｍのプラス公差で成形されていることを特徴とする光ディスク駆動装置。
【請求項４】
請求項１記載のディスク駆動装置において、
前記ディスクトレイに備えたフック孔の入口側は面取り加工されていることを特徴とする光ディスク駆動装置。
【請求項５】
請求項４記載のディスク駆動装置において、
前記ディスクトレイに備えたフック孔の入口の上下面側が面取り加工されていることを特徴とする光ディスク駆動装置。
【発明の詳細な説明】
【技術分野】
【０００１】
本発明は、静電気放電（ＥＳＤ：Electro Static Discharge）による電子部品の誤動作や破壊を防止する導電板を備えた光ディスク駆動装置に関する。
【背景技術】
【０００２】
静電気を帯電したユーザが光ディスク駆動装置を操作するためにフロントベゼル（ディスクトレイの引き出しスイッチなど）に触れると、フロントベゼルを通してフロントベゼル裏面に搭載された電子部品から制御回路に通電され、制御回路の電子部品に誤動作を起こさせたたり、場合によっては電子部品を破損させたりする可能性がある。
【０００３】
また、ディスク面上の情報を再生、あるいはディスク面上に情報を記録する光ピックアップに内蔵された電子部品（レーザダイオードなど）についても静電破壊を引き起こすこともある。
【０００４】
これらの問題に対応する従来技術としては、フロントベゼルに放電された静電気について、該静電気をアース部へ導くためのアースプレート（以下、導電板という）を介して、光ディスク駆動装置の筺体となる金属カバー部へ通電し、該金属カバーからPC本体へのアース処理を行うことで前述した電子部品や、レーザダイオードなどへの静電気放電防止を図る構造のものがある。
【０００５】
例えば、特許文献１には、上下に折り曲げ部を備え、この折り曲げ部に四角形状の開口部を設けた爪片構造となったコ字型の導電板が開示されている。この導電板の爪片部に対向する部位に突起部を備えた係止突起部を有するディスクトレイとの取り付け構造となっている。また、ディスクトレイが装置内部に搬入された際に導電板の解放端部が装置筺体となるシャーシケースに当接させる構造が開示されている。
【０００６】
また特許文献２には、上部と側部にそれぞれ一箇所の係止部と取り付け部を備えた導電板と、ディスクトレイに備えたボス部に対して導電板の位置決め孔に該ボス部を挿通する静電気放電用導電板構造が開示されている。
【先行技術文献】
【特許文献】
【０００７】
【特許文献１】特開２００４-１５２４３３号公報
【特許文献２】特開２００８−１５２８４４号公報
【発明の概要】
【発明が解決しようとする課題】
【０００８】
特許文献１に記載された技術は、導電板の上下に爪片構造を備えており、この導電板は上下部に折り曲げ加工を施したコの字形状の板ばねとなっている。この構造の導電板でディスクトレイ先端部を挟み込む取り付け構造となるため、ディスクトレイ先端部の高さ寸法に対して、コの字形状の折り曲げ内寸法は該ディスクトレイ先端部の高さ寸法より大きく取る必要がある。
【０００９】
このため、ディスク駆動装置の薄型化を考慮すると、導電板などの部品取り付け構造も薄型化の課題の一つとなる。ディスクトレイに多少凹部を持たせて導電板の板厚分を考慮することは可能であるが、この場合は肉薄化による強度不足などが懸念される。
【００１０】
また特許文献２に記載された技術は、上部と側部にそれぞれ一箇所の取り付け部と係止部を備え、ディスクトレイに備えたボス部に対して導電板の位置決め孔に挿通する静電気放電用導電板構造である。
【００１１】
この構造では、ディスクトレイ側への押圧力は導電板に備えた側面の係止部のばね力とディスクトレイに備えたボス部と位置決め孔の摩擦力による力しか作用しない。上部の取り付け部はボス部に対する回転位置決めとしかならない。
【００１２】
すなわち、該係止部の反対端部が浮き上がると係止部と回路基板の導体部との接触状態が不安定となる可能性がある。
【００１３】
本発明の目的は、光ディスク駆動装置への静電気に対して確実に接地できる構造を提供するとともに、部品の加工精度向上と低コスト化を図った光ディスク駆動装置を提供することにある。
【課題を解決するための手段】
【００１４】
上記目的は、トップケースとボトムケースにより形成された開口部を有する筺体と、この筺体内部に収納され前記開口部から入出自在に設けられたディスクトレイと、このディスクトレイ上のディスクに記録再生を行う光ピックアップと、前記ディスクを回転駆動するスピンドルモータと、前記ディスクトレイの前端部に導電板とを備えた光ディスク駆動装置において、前記導電板には、左右２箇所でその先端部に２段階の折り曲げ成形を施し互いが内側を向くようにしたフック部と、側端部に１段曲げ成形を施した押えばね部とを備えてなり、前記フック部で前記ディスクトレイ前面部に備えたフック孔部に固定し、前記押えばね部は前記ディスクトレイが前記筺体内部に搬入された状態で筺体部に押圧接地することにより達成される。
【００１５】
また上記目的は、前記押えばね部は前記ディスクトレイ方向に折り曲げられていることが好ましい。
【００１６】
また上記目的は、前記導電板に備えたフック部の幅寸法に対して、前記ディスクトレイに備えた前記フック孔の縦内寸法が０．０５ｍｍから０．２ｍｍのプラス公差で成形されていることが好ましい。
【００１７】
また上記目的は、前記ディスクトレイに備えたフック孔の入口側は面取り加工されていることが好ましい。
【００１８】
また上記目的は、前記ディスクトレイに備えたフック孔の入口の上下面側が面取り加工されていることが好ましい。
【発明の効果】
【００１９】
本発明によれば、光ディスク駆動装置への静電気に対して確実に接地できる構造を提供するものであり、さらに部品の加工精度向上と低コスト化を図った光ディスク駆動装置を提供できる。
【図面の簡単な説明】
【００２０】
【図１】本発明の一実施例である光ディスク駆動装置１の斜視図である。
【図２】は図１を下方から見た光ディスク駆動装置の斜視図である。
【図３】は図２の導電板部分の拡大斜視図である。
【図４】本発明の一実施例である導電板を拡大した斜視図である。
【図５】本発明の一実施例である導電板が組み込まれたディスク駆動装置の斜視図である。
【図６】図５の部分拡大斜視図である。
【図７】は本発明の一実施例である導電板を組み込んだ光ディスク駆動装置の静電気放電の流れを示すブロック図である。
【図８】本発明の第二の実施例である導電板を組み込んだディスク駆動装置の斜視図である。
【図９】図８のＢ−Ｂ線断面図である。
【発明を実施するための形態】
【００２１】
以下、本発明の一実施例を図にしたがって説明するが、実施例の説明の前に一般的な光ディスク駆動装置の概略構成を図１，図２で説明する。
【００２２】
なお、図１から図９において同一の符号を付した部分は同一物を表わし、基本的な構成及び動作は同様であるため、一度説明した同一符号は説明を省略する。
【００２３】
図１は本発明の一実施例である光ディスク駆動装置の斜視図である。
【００２４】
図２は図１を下方から見た光ディスク駆動装置の斜視図である。
【００２５】
図１，図２において、光ディスク駆動装置１は、直径120ｍｍ、厚さ1.2ｍｍのＣＤ、ＤＶＤ、ＢＤ（ブルーレイ・ディスク）等の記録媒体（以下、光ディスクという）の記録面に対して情報の記録再生を行うものである。
【００２６】
本発明で対象とする光ディスク駆動装置１はおおむね、幅130ｍｍ、奥行き130ｍｍ、装置厚12.7ｍｍ（あるいは、9.5ｍｍ）の薄厚箱型形状で、モバイル型パーソナルコンピュータに装備されているスリム型（あるいは、スーパスリム型）ドライブと呼ばれている光ディスク駆動装置１である。
【００２７】
この光ディスク駆動装置１は、トップケース２と図２に示すボトムケース３を嵌合及びネジ締結により組み立てて成形された筐体で構成されている。トップケース２とボトムケース３は、薄板鋼板をプレス成形することによりそれぞれ製造されている。該筐体内部（光ディスク駆動装置１内部）には、樹脂成形品のディスクトレイ４が配置されている。ディスクトレイ４の前端には、フロントベゼル（図示せず）が装着されており、ここからディスクを搬出入している。ディスクトレイ４の下面にはユニットメカ５が装着されている。
【００２８】
ユニットメカ５は、弾性部材からなる複数のインシュレータ（図示せず）を介してディスクトレイ４に取り付けられている。該インシュレータは装置外部からユニットメカ５へ伝わる振動や衝撃、あるいはユニットメカ５から外部へ伝わる振動や衝撃を減衰することができる。
【００２９】
ユニットメカ５は、ベースとなるユニットメカシャシ（図示せず）を有している。このユニットメカシャシには、ディスクを回転駆動させるためのスピンドルモータ６、ディスクの記録面の情報を再生し、あるいは記録面に情報を記録するための光ピックアップ７、この光ピックアップ７をディスク半径方向に沿って移動させるための駆動手段（図示せず）、これらの部品への接触防止や電気的なノイズを遮断する上カバー８が装着されている。ディスクトレイ４の下方には図２に示すように下カバー９が取り付けられている。
【００３０】
ディスクトレイ４の中央には、ディスクの外径より僅かに大きな円形溝４ａが形成されている。この円形溝４ａの底面の一部には切欠き孔４ｂが備えられ、この切欠き孔４ｂからユニットメカ５の上カバー８、光ピックアップ７、スピンドルモータ６が露出している。
【００３１】
導電板２１はフロントベゼル（図示せず）の内側でディスクトレイ４の前端面に取り付けられており、導電板２１を介して静電気を筺体部となるボトムケース３へ放電させるものである。
【００３２】
ディスクの装着や離脱はフロントベゼルに取り付けられたイジェクトスイッチ１２をユーザが押すことにより、ディスクトレイ４の両側に備えたガイドレール１０a、１０bをディスクトレイ４がスライドして光ディスク駆動装置１外部に突出する。
【００３３】
本発明は、このような光ディスク駆動装置１において、ユーザが操作時にフロントベゼル上のイジェクトスイッチ１２などに接触した際に生じる静電気により、光ディスク駆動装置１内部の電子部品などの誤動作や、静電気破損を防ぐために備えた導電板２１のディスクトレイ４への取り付け構造について種々検討した結果、以下のごとき実施例を得た。
【実施例１】
【００３４】
以下、図３以降を用いて本発明の一実施の形態を説明する。  
尚、図２中、丸領域で示したＡ部は、本発明の導電板２１周辺部を示したものであり、図３はそのＡ部を拡大したものである。
【００３５】
図３は、図２のＡ部拡大斜視図であり、矢印は導電板２１をディスクトレイ４部に取り付ける方向を示したものである。  
図４は導電板２１の形状を示した斜視図である。  
図３，図４において、導電板２１は薄板鋼板を折り曲げて形成したプレス成形品（板厚は0.3ｍｍ〜0.5ｍｍ）である。この導電板２１の中央部にはディスクトレイ４を搬出させるためのイジェクトスイッチ１２の貫通開口と、緊急時にディスクトレイ４を強制的に搬出させるための貫通開口（図示せず）を備えている。
【００３６】
本実施例の特徴は、導電板２１に対して左右端部２箇所で、かつ互いが内側向きに２段階の折り曲げ成形したフック部２２a、２２bを備えた点にある。
【００３７】
ディスクトレイ４には該フック部２２a、２２bに対向した位置にフック孔２３a、２３bを備えられている。該フック孔２３a、２３bに対してフック部２２a、２２b構造の折り曲げ部をディスクトレイ４側に向けて、図３の矢印に示すように導電板２１をディスクトレイ４前面方向から取り付けるものである。
【００３８】
導電板２１を取り付ける手順としては、まずフック２２ａをディスクトレイ４側のフック孔２３ａに引掛け、その後フック２２ｂをフック孔２３ｂに押し込んで係合させることになる。
【００３９】
２箇所のフック部２２a、２２b構造によって、導電板２１を簡単にかつ確実にディスクトレイ４に取り付けることができる。さらに導電板２１の左右方向にフック部２２a、２２b構造を配置することで、導電板２１取り付け部における高さ寸法の制約を受けることなく、導電板２１取り付け部の薄型化を図ることができる。
【００４０】
さらに該２箇所のフック部２２a、２２b構造によりディスクトレイ４に対する導電板２１の左右方向の位置決め精度が向上する。また、ディスクトレイ４前面からの取り付けにより、ディスクトレイ４裏面に搭載した部品などを考慮することなく取り付けができ、作業性も向上する。
【００４１】
図４に示すように、導電板２１には側端部に１段階の折り曲げを施した押えばね２４を備えられている。この押えばね２４を設けたことによって、ディスクトレイ４が装置内部に搬入した時に筺体となるボトムケース３に押えばね２４が接触するようになっている。これにより、帯電したユーザがイジェクトスイッチ１２を押すことで指がフロントベセルを介して導電板２１に接触すると静電気が筺体を通して放電されることになる。
【００４２】
図５、図６は本発明の一実施例である導電板２１を用いた光ディスク駆動装置１において、ディスクトレイ４が装置内部に搬入された時の該導電板２１とボトムケース３との接触状態を示したものである。
【００４３】
図５は本発明の一実施例である導電板が組み込まれたディスク駆動装置の斜視図である。図６は図５の部分拡大斜視図である。
【００４４】
図５，図６において、導電板２１は該２箇所のフック部２２a、２２b（図中２２bのみ図示）によりディスクトレイ４に取り付いており、導電板２１の側端部に備えた押えばね２４はディスクトレイ４が光ディスク駆動装置１内部に搬入された状態で、折り曲げられた押えばね２４の弾性力により光ディスク駆動装置１の筺体となるボトムケース３に接触するようになっている。
【００４５】
押えばね２４はディスクトレイ４方向に折り曲げられ、適度な弾性力で押えばね４は筐体を押圧しているので導電板２１がユーザ側に張り出すことはない。
【００４６】
図７は本発明の一実施例である導電板を組み込んだ光ディスク駆動装置の静電気放電の流れを示すブロック図である。
【００４７】
図７において、ユーザがフロントベゼルに備えたイジェクトスイッチ１２などに触れた時、人体から光ディスク駆動装置１へ流れる静電気は、まず電導板２１に流れる。次にディスクトレイ４がディスク駆動装置１内部に挿入された状態では電導板２１に備えた押えばね２４部から光ディスク駆動装置１筺体となるボトムカバー３へと流れる。
【００４８】
さらに、ＰＣなどへ組み込まれた光ディスク駆動装置１のボトムケース３とＰＣアース部は接地されているために、静電気は確実に放電されることになる。
【００４９】
これにより、光ディスク駆動装置１に静電気が流れた場合でも、内部の電気部品の誤動作や静電気による破損を確実に防止することができ、光ディスク駆動装置１の静電気に対する信頼性が向上する。
【実施例２】
【００５０】
本発明の実施例２の形態について、図８，図９を用いて説明する。  
図８は本発明の第二の実施例である導電板を組み込んだディスク駆動装置の斜視図である。  
図９は図８のＢ−Ｂ線断面図である。  
図８，図９において、本実施例の特徴は導電板２１に備えたフック部２２b部の幅寸法を基準として、ディスクトレイ４に備えたフック２３b孔の縦内寸法を０．０５ｍｍから０．２ｍｍのプラス公差で成形した点である。
【００５１】
例えば、ディスクトレイ４前面部の高さ寸法が１０ｍｍの場合、導電板２１の上下方向の位置決め精度を２％以下と想定したものである。また、最小公差０．０５ｍｍ程度であれば、導電板２１を取り付ける際の負荷抵抗がなく作業性能が向上する。また、該フック孔２３bの深さ方向で導電板２１側に０．５ｍｍ程度のＣ面取り構造（テーパ形状の面取り加工構造）を備えたことである。この面取りはフック孔２３ｂの上下面側に加工されているため、導電板２１の上下が面取り部と接触するので正確な位置決めが可能となる。
【００５２】
言うまでもなくＣ面取り構造は、もう片方のフック部２２a、フック孔２３aにも用いている。これにより、ディスクトレイ４に導電板２１を取り付ける際の負荷抵抗をなくすことができ、さらに導電板２１の高さ方向の位置決めができる。これにより、組み立て時の作業性が向上し、組み立て時の導電板２１の損傷なども低減することができる。したがって、光ディスク駆動装置１の精度のよい組み立てが実現でき、信頼性の高い光ディスク駆動装置１を提供することができる。
【００５３】
以上のごとく、本発明によれば、高い電圧の静電気を帯電したユーザが光ディスク駆動装置を操作した場合でも、ディスクトレイ前端部に備えた導電板を介して、装置筺体となる導電性部材のカバーへ確実に接地できるため、電子部品の誤動作や、電子部品、レーザダイオードの静電破壊などを回避することができる。
【００５４】
また、導電板は左右に２箇所のフック構造を備え、ディスクトレイにフック部を確実に引っ掛ける孔構造を用いて取り付けるため、ディスクトレイの上下方向の寸法制約を受けることなく、この部位での高さ方向の寸法増加を考慮することはない。
【００５５】
また、ディスク駆動装置の組み立て工程において、導電板をディスクトレイの前端部に嵌め込むために、ディスクトレイ上下の組み立て工程に影響を与えることがなく、組み立て作業性能の向上が図れる。
【００５６】
以上のことから、光ディスク駆動装置の静電気に対する問題を解決し、信頼性の高い光ディスク駆動装置を提供することができる。
【符号の説明】
【００５７】
１・・・ディスク駆動装置、２・・・トップケース、３・・・ボトムケース、４・・・ディスクトレイ、５・・・ユニットメカ、６・・・スピンドルモータ、７・・・光ピックアップ、８・・・上カバー、９・・・下カバー、１０ａ、１０ｂ・・・ガイドレース、１２・・・イジェクトスイッチ、２１・・・導電板、２２ａ、２２ｂ・・・フック部、２３ａ、２３ｂ・・・フック孔、２４・・・押えばね。
【図１】
2012089189.tif 000003
【図２】
2012089189.tif 000004
【図３】
2012089189.tif 000005
【図４】
2012089189.tif 000006
【図５】
2012089189.tif 000007
【図６】
2012089189.tif 000008
【図７】
2012089189.tif 000009
【図８】
2012089189.tif 000010
【図９】
2012089189.tif 000011